(57)【要約】【課題】腰壁パネルが伸びてもその撓みを防止できる腰壁パネルの固定構造を提供する。【解決手段】壁面４ａに腰壁パネル６が固定され、この腰壁パネル６の上下端部がそれぞれ前記壁面４ａに固定されたカバー部材１０，１２によって覆われており、前記腰壁パネル６の上下端面と、これら上下端面に対向する前記カバー部材１０，１２の内面（支持部材１０ｂの下面、幅木下地合板１２ａの上面）との間に、所定の隙間１１，１３が設けられている。したがって、腰壁パネル６が水分等の吸収によって上下に若干伸びても、この伸びを隙間１１，１３で吸収できる。つまり、腰壁パネル６が上下に若干伸びても、その上下端面はカバー部材１０，１２の内面に当たることがない。したがって、腰壁パネル６が上下に伸びてもそれが撓むことがない。【選択図】図１
2007239362.tif 000002
【特許請求の範囲】
【請求項１】
壁面に腰壁パネルが固定され、この腰壁パネルの上下端部がそれぞれ前記壁面に固定されたカバー部材によって覆われており、前記腰壁パネルの上下端面と、これら上下端面に対向する前記カバー部材の内面との間に、所定の隙間が設けられていることを特徴とする腰壁パネルの固定構造。
【請求項２】
請求項１に記載の腰壁パネルの固定構造において、
前記腰壁パネルの上下端部には上下に長い長穴が形成され、中央部には円形の穴が形成され、前記腰壁パネルは、前記長穴および穴に止着材を挿通して前記壁面にねじ込むまたは打ち込むことによって固定されていることを特徴とする腰壁パネルの固定構造。
【請求項３】
請求項１または２に記載の腰壁パネルの固定構造において、
前記腰壁パネルは左右に複数枚連結されており、隣接する腰壁パネル間には所定の目地隙間が設けられていることを特徴とする腰壁パネルの固定構造。
【請求項４】
請求項３に記載の腰壁パネルの固定構造において、
連結された複数枚の腰壁パネルの両側に位置する腰壁パネルの側端部が壁面に固定されたカバー部材によって覆われており、前記両側に位置する腰壁パネルの側端面と、該側端面に対向するカバー部材の内面との間に、所定の隙間が設けられていることを特徴とする腰壁パネルの固定構造。
【請求項５】
請求項１〜４のいずれか一項に記載の腰壁パネルの固定構造において、前記隙間には弾性的に圧縮可能なスペーサが設けられていることを特徴とする腰壁パネルの固定構造。
【発明の詳細な説明】
【技術分野】
【０００１】
本発明は、住宅等の内部にある壁に固定される腰壁パネルの固定構造に関する。
【背景技術】
【０００２】
住宅等の内部にある壁の壁面には、仕上げを秀麗にしたり壁面を保護するために、人の腰程度の高さを有する腰壁パネルを固定する場合がある。この腰壁パネルの固定構造の一例として特許文献１に記載の技術が知られている。この技術では、壁面に腰壁パネルが固定されており、この腰壁パネルの上端部を腰見切縁によって押え、下端部を支持板の設置部で支持している。腰見切縁はパネルキャップを有しており、このパネルキャップのパネル押さえ部で腰壁パネルの上端部の前面を押えている。また、支持板はパネル固定部と、腰壁パネルと略同じ厚みを有するとともに腰壁パネルを支持する載置部とを有し、腰壁パネルは、腰壁パネルの下端を載置部に支持された状態でパネル固定部により、壁の前面の床近傍部に固定されている。
【特許文献１】特開２００５−３３６７０６号公報
【発明の開示】
【発明が解決しようとする課題】
【０００３】
ところで、上記従来の技術では、腰壁パネルは、その上端面が腰見切縁のパネルキャップに当接し、腰壁パネルの下端面が支持板の載置部に当接した状態で壁面に固定されている。したがって、腰壁パネルが住宅内の水分等を吸収して伸びると、該腰壁パネルの上端面と下端面とがそれぞれパネルキャップと載置部とに当接しているので、腰壁パネルが前方に凸となるように撓んで、壁面から外れる恐れがある。
【０００４】
本発明は上記事情に鑑みてなされたもので、腰壁パネルが伸びてもその撓みを防止できる腰壁パネルの固定構造を提供することを課題としている。
【課題を解決するための手段】
【０００５】
上記課題を解決するために、請求項１に記載の発明は、例えば図１に示すように、壁面４ａに腰壁パネル６が固定され、この腰壁パネル６の上下端部がそれぞれ前記壁面４ａに固定されたカバー部材１０，１２によって覆われており、前記腰壁パネル６の上下端面と、これら上下端面に対向する前記カバー部材１０，１２の内面（支持部材１０ｂの下面、幅木下地合板１２ａの上面）との間に、所定の隙間１１，１３が設けられていることを特徴とする。
【０００６】
請求項１に記載の発明によれば、腰壁パネル６の上下端面と、これら上下端面に対向するカバー部材１２の内面との間に、所定の隙間１１，１３が設けられているので、腰壁パネル６が水分等の吸収によって上下に若干伸びても、この伸びを隙間１１，１３で吸収できる。つまり、腰壁パネル６が上下に若干伸びても、その上下端面はカバー部材１０，１２の内面に当たることがない。したがって、腰壁パネル６が上下に伸びてもそれが撓むことがない。
【０００７】
請求項２に記載の発明は、例えば図４に示すように、請求項１に記載の腰壁パネルの固定構造において、
前記腰壁パネル６の上下端部には上下に長い長穴１５，１５が形成され、中央部には円形の穴１６が形成され、前記腰壁パネル６は、前記長穴１５，１５および穴１６に止着材１４を挿通して前記壁面４ａにねじ込むまたは打ち込むことによって固定されていることを特徴とする。
【０００８】
請求項２に記載の発明によれば、腰壁パネル６が上下に若干伸びると、それに伴って腰壁パネル６の上下端部がそれぞれ上下に伸びるが、これら上下端部を壁面４ａに固定している止着材１４，１４は長穴１５，１５に挿通されているので、これら長穴１５，１５によって止着材１４，１４を逃がすことができる（止着材１４，１４を固定した状態で長穴１５，１５が上下に移動できる）。したがって、止着材１４，１４が壁面４ａからは外れるのを防止して、腰壁パネル６の上下端部を止着材１４，１４によって確実に壁面に固定できる。一方、腰壁パネル６の中央部を壁面４ａに固定している止着材１４が挿通されている穴１６は上下に移動しないので、該止着材１４によって腰壁パネル６の中央部を確実に壁面に固定できる。
したがって、腰壁パネル６が上下に伸びてもこれを止着材１４によって確実に壁面４ａに固定できる。
【０００９】
請求項３に記載の発明は、例えば図２および図３に示すように、請求項１または２に記載の腰壁パネルの固定構造において、
前記腰壁パネル６は左右に複数枚連結されており、隣接する腰壁パネル６，６間には所定の目地隙間８が設けられていることを特徴とする。
【００１０】
請求項３に記載の発明によれば、左右に隣接する腰壁パネル６，６間に所定の目地隙間８が設けられているので、腰壁パネル６，６が水分等の吸収によって左右に若干伸びても、この伸びを目地隙間８で吸収できる。つまり、腰壁パネル６，６が左右に若干伸びても、それらの対向する端部どうしが当たることがない。したがって、腰壁パネル６，６が左右に伸びてもそれが撓むことがない。
【００１１】
請求項４に記載の発明は、例えば図２に示すように、請求項３に記載の腰壁パネルの固定構造において、
連結された複数枚の腰壁パネル６・・・の両側に位置する腰壁パネル６の側端部が壁面４ａに固定されたカバー部材２０によって覆われており、前記両側に位置する腰壁パネル６の側端面と、該側端面に対向するカバー部材２０の内面（支持部材２０ｂの左右面）との間に、所定の隙間２１が設けられていることを特徴とする。
【００１２】
請求項４に記載の発明によれば、連結された複数枚の腰壁パネル６・・・の両側に位置する腰壁パネル６の側端面と、該側端面に対向するカバー部材２０の内面との間に、所定の隙間２１が設けられているので、腰壁パネル６が水分等の吸収によって左右に若干伸びても、この伸びを隙間で吸収できる。つまり、両側の腰壁パネル６，６が左右に若干伸びても、その左右側端面はカバー部材２０の内面に当たることがない。したがって、両側の腰壁パネル６，６が左右に伸びてもそれが撓むことがない。
【００１３】
請求項５に記載の発明は、例えば図６および図７に示すように、請求項１〜４のいずれか一項に記載の腰壁パネルの固定構造において、前記隙間１３（１１，２１）には弾性的に圧縮可能なスペーサ２３，２４が設けられていることを特徴とする。
【００１４】
請求項５に記載の発明によれば、前記隙間１３（１１，２１）にスペーサ２３，２４が設けられているので、このスペーサ２３，２４に腰壁パネル６の上下端面および左右側端面を当接することによって、腰壁パネル６の上下左右の位置決めができ、また、腰壁パネル６の上下左右の伸びをスペーサ２３，２４の圧縮によって許容できる。
【発明の効果】
【００１５】
本発明によれば、壁面に腰壁パネルが固定され、この腰壁パネルの上下端部がそれぞれ前記壁面に固定されたカバー部材によって覆われており、前記腰壁パネルの上下端面と、これら上下端面に対向する前記カバー部材の内面との間に、所定の隙間が設けられているので、腰壁パネルが水分等の吸収によって上下に若干伸びても、この伸びを隙間で吸収できる。したがって、腰壁パネルが上下に伸びてもそれが撓むことがない。
【発明を実施するための最良の形態】
【００１６】
以下、図面を参照して本発明の実施の形態について説明する。
図１は本発明に係る腰壁パネルの固定構造を示す縦断面図、図２は同平断面図である。これらの図において符号１は壁パネルを示す。この壁パネル１は框材２を矩形枠状に組み立てて枠体を構成し、この枠体の表裏両面にそれぞれ合板等からなる面材３を貼着したものである。なお、枠体の内側には必要に応じて補強桟材が縦横に組み付けられる。このような壁パネル１は床上に立設されて壁本体を構成する。なお、壁本体は壁パネル１を複数連結することによって構成される。壁本体の表面には石膏ボード４が取り付けられており、この石膏ボード４の表面が壁面４ａとされている。なお、石膏ボード４の下端面は床上に設けられたフローリング材５の上面に当接されている。
【００１７】
前記壁面４ａには腰壁パネル６が固定されている。腰壁パネル６は、木材から得られるセルロース系微粉粒と樹脂とを含む混合材料を押出し成形することによって形成されたものである。セルロース系微粉粒は、例えば、木材の粗粉砕物、バカスの粗粉砕物、稲藁の粗粉砕物や、住宅等の建物を解体した際に排出される木質廃材や家具を解体した際に排出される木質廃材、建物建築中に排出される木材の端材、おが屑等を周知の粉砕装置によって微粉状に粉砕したものである。
樹脂としては、例えば、ポリプロピレン樹脂、ポリ塩化ビニル樹脂、ポリエチレン樹脂、発泡塩化ビニル樹脂、ポリスチレン樹脂、ＡＢＳ樹脂等が挙げられる。
【００１８】
前記腰壁パネル６は上下に長尺な長方形板状のものであり、その側端部には実部６ａとこの実部が嵌合する嵌合凹部６ｂとが形成されている。すなわち、図３に示すように、腰壁パネル６の右側端部の上部には実部６ａが形成されており、この実部６ａより下側の端面には嵌合凹部６ｂが形成されている。また、腰壁パネル６の左側端部の下部には実部６ａが形成されており、この実部６ａより上側の端面には嵌合凹部６ｂが形成されている。実部６ａには後述するビス１４の頭を納める凹部６ｃが形成されている。
そして、腰壁パネル６は左右に複数枚連結されており、左右に隣接する腰壁パネル６，６どうしは、一方の腰壁パネル６の実部６ａの先端部を他方の腰壁パネル６の嵌合凹部６ｂに嵌合することによって連結されている。この連結状態において、隣接する腰壁パネル６，６間には所定の目地隙間８が設けられているとともに、実部６ａの先端と嵌合凹部６ｂの底面との間には、前記目地隙間８とほぼ等しい幅の隙間が形成されている。したがって、腰壁パネル６が水分等を吸収して若干左右に伸びた場合に、その伸びの分を目地隙間８で吸収できるようになっている。つまり、腰壁パネル６が若干左右に伸びた場合に、腰壁パネル６，６どうしが当接しないようになっている。
【００１９】
前記腰壁パネル６の上端部は、壁面４ａに固定されたカバー部材１０によって覆われている。このカバー部材１０は断面略Ｌ字状に形成された見切材１０ａと、この見切材１０ａを支持する支持部材１０ｂとを備えている。この支持部材１０ｂは角材等によって形成されたもので、釘１０ｃや接着剤等によって壁面４ｃに固定されている。見切材１０ａは、図１において紙面と直交する方向に長尺なものであり、その上片部１０ｄを支持部材１０ｂの上面に当接するとともに、上片部１０ｄから垂下する垂下部１０ｅを支持部材１０ｂの表面（前面）に当接し、これら当接した部分を接着することによって支持部材１０ｂに固定されている。
また、垂下部１０ｅの下端は腰壁パネル６の上端より下側に位置している、つまり、腰壁パネル６の上端部は垂下部１０ｅによって覆われている。
さらに、腰壁パネル６の上端面と、カバー部材１０の内面、つまり支持部材１０ｂの下面との間には、所定の隙間１１が設けられている。
【００２０】
前記腰壁パネル６の下端部は、壁面４ａに固定されたカバー部材１２によって覆われている。このカバー部材１２は、幅木下地合板１２ａとこの幅木下地合板１２ａに固定された幅木１２ｂとを備えている。幅木下地合板１２ａは壁面４ａの下端部に接着や釘打ち等によって固定されており、該幅木下地合板１２ａの表面（前面）は腰壁パネル６の表面（前面）と面一になっている。幅木１２ｂは幅木下地合板１２ａに接着剤やビス等によって固定されており、その上端部は幅木下地合板１２ａより上方に突出して、腰壁パネル６の下端部を覆っている。
また、腰壁パネル６の下端面と、カバー部材１２の内面、つまり幅木下地合板１２ａの上面との間には、所定の隙間１１が設けられている。
【００２１】
上記のような腰壁パネル６はビス（止着材）１４によって壁面４ａに固定されている。すなわち、図４に示すように、腰壁パネル６の実部６ａの上下端部には、それぞれ上下に長い長穴１５，１５が形成されており、中央部には円形の穴１６が形成されている。そして、長穴１５，１５にはビス１４が挿通されて壁面４ａにねじ込まれ、穴１６にはビス１４が挿通されて壁面４ａにねじ込まれている。このように１枚の腰壁パネル６は３本のビス１４によって壁面に固定されている。なお、長穴１５の幅や穴１６の直径はビス１４の軸部の径とほぼ等しいか、若干大きめに形成されている。
【００２２】
また、図２に示すように、連結された複数枚の腰壁パネル６・・・のうち、左右両側に位置する腰壁パネル６，６の側端部は、壁面４ａに固定されたカバー部材２０，２０によてそれぞれ覆われている。
このカバー部材２０は断面略Ｌ字状に形成された見切材２０ａと、この見切材２０ａを支持する支持部材２０ｂとを備えている。この支持部材２０ｂは角材等によって形成されたもので、釘２０ｃや接着剤等によって壁面４ｃに固定されている。見切材２０ａは、図２において紙面と直交する方向に長尺なものであり、その側片部２０ｄを支持部材２０ｂの側面に当接するとともに、側片部２０ｄから横に延出する延出部２０ｅを支持部材２０ｂの表面（前面）に当接し、これら当接した部分を接着することによって支持部材２０ｂに固定されている。
また、延出部２０ｅの先端は腰壁パネル６の左右端より内側に位置している、つまり、腰壁パネル６の左右両側端部は延出部１０ｅによって覆われている。
さらに、腰壁パネル６の左右側端面と、カバー部材２０の内面、つまり支持部材２０ｂの左右面との間には、所定の隙間２１，２１が設けられている。
【００２３】
上記のようにして、複数枚の腰壁パネル６・・・を壁面４ａに固定し、腰壁パネル６・・・の上下端部をそれぞれカバー部材１０，１２によって覆うとともに、左右両側に位置する腰壁パネル６の側端部をカバー部材２０によって覆うことによって、図５に示すような、腰壁２２を形成することができる。なお、腰壁パネル６の上端部を覆うカバー部材１０と側端部を覆うカバー部材２０とは、それぞれの端部を４５°に切断して当接することによって接合する。
【００２４】
本実施の形態によれば、腰壁パネル６の上下端面と、これら上下端面に対向するカバー部材１０，１２の内面（支持部材１０ｂの下面、幅木下地合板１２ａの上面）との間に、所定の隙間１１，１３が設けられているので、腰壁パネル６が水分等の吸収によって上下に若干伸びても、この伸びを隙間で吸収できる。つまり、腰壁パネル６が上下に若干伸びても、その上下端面はカバー部材１０，１２の内面（支持部材１０ｂの下面、幅木下地合板１２ａの上面）に当たることがない。したがって、腰壁パネル６が上下に伸びてもそれが撓むことがない。
また、腰壁パネル６が上下に若干伸びると、それに伴って腰壁パネル６の上下端部がそれぞれ上下に伸びるが、これら上下端部を壁面４ａに固定しているビス１４は長穴１６，１６に挿通されているので、これら長穴１６，１６によってビス１４を逃がすことができる。したがって、ビス１４が壁からは外れるのを防止して、腰壁パネル６の上下端部をビス１４，１４によって確実に壁面４ａに固定できる。一方、腰壁パネル６の中央部を壁面４ａに固定しているビス１４が挿通されている穴１７は上下に移動しないので、該ビス１４によって腰壁パネル６の中央部を確実に壁面４ｃに固定できる。
したがって、腰壁パネル６が上下に伸びてもこれをビス１４によって確実に壁面４ａに固定できる。
【００２５】
さらに、左右に隣接する腰壁パネル６，６間に所定の目地隙間８が設けられているので、腰壁パネル６，６が水分等の吸収によって左右に若干伸びても、この伸びを目地隙間８で吸収できる。つまり、腰壁パネル６が左右に若干伸びても、それらの対向する端部どうしが当たることがない。したがって、腰壁パネル６，６が左右に伸びてもそれが撓むことがない。
また、連結された複数枚の腰壁パネル６・・・の両側に位置する腰壁パネル６，６の側端面と、該側端面に対向するカバー部材２０の内面（支持部材２０ｂの左右面）との間に、所定の隙間２１，２１が設けられているので、腰壁パネル６，６が水分等の吸収によって左右に若干伸びても、この伸びを隙間で吸収できる。つまり、両側の腰壁パネル６，６が左右に若干伸びても、その左右側端面はカバー部材２０の内面（支持部材２０ｂの左右面）に当たることがない。したがって、両側の腰壁パネル６，６が左右に伸びてもそれが撓むことがない。
【００２６】
なお、本実施の形態では、前記隙間１１，１３，２１は内部に何も設けていない空間としたが、隙間１１，１３，２１にスペーサ２３，２４を設けてもよい。
すなわち、図６に示すように、隙間１３にスペーサ２３を設けてもよい。スペーサ２３は樹脂等で形成され、図６において紙面と直交する方向に長尺なものであり、上片部２３ａと下片部２３ｂとが弾性的に接近可能となっている。つまり、スペーサ２３は弾性的に圧縮可能となっている。そして、スペーサ２３はその上片部２３ａを腰壁パネル６の下端面に当接するとともに、下片部２３ｂを幅木下地合板１２ａの上面に当接した状態で隙間１３に設ける。
このようにすれば、腰壁パネル６の上下の位置決めができ、また、腰壁パネル６の上下の伸びをスペーサの圧縮によって許容できる。
【００２７】
また、図７に示すように、ゴム等によって圧縮可能に形成されたスペーサ２４を隙間１３に設けてもよい。この場合、スペーサ２４の上下面をそれぞれ腰壁パネル６の下端面と幅木下地合板１２ａの上面とに当接した状態でスペーサ２４を隙間１３に設ける。
この場合でも、腰壁パネル６の上下の位置決めができ、また、腰壁パネル６の上下の伸びをスペーサの圧縮によって許容できる。
なお、図示は省略するが、前記スペーサ２３または２４を前記隙間１１，２１に設けてもよい。この場合も上記と同様の効果を得ることができる。
【図面の簡単な説明】
【００２８】
【図１】本発明に係る腰壁パネルの固定構造を示すもので、縦断面図である。
【図２】同、平断面図である
【図３】同、腰壁パネルどうしの接合部を示す拡大断面図である。
【図４】同、腰壁パネルをビスによって固定した状態を示す正面図である。
【図５】同、腰壁パネルによって形成された腰壁を示す正面図である。
【図６】本発明に係る腰壁パネルの固定構造の変形例を示すもので、腰壁パネルの下端部近傍の縦断面図である。
【図７】本発明に係る腰壁パネルの固定構造の他の変形例を示すもので、腰壁パネルの下端部近傍の縦断面図である。
【符号の説明】
【００２９】
４ａ  壁面
６  腰壁パネル
８  目地隙間
１０，１２，２０  カバー部材
１１，１３，２１  隙間
１４  ビス（止着材）
１５  長穴
１６  穴
２３，２４  スペーサ
【図１】
2007239362.tif 000003
【図２】
2007239362.tif 000004
【図３】
2007239362.tif 000005
【図４】
2007239362.tif 000006
【図５】
2007239362.tif 000007
【図６】
2007239362.tif 000008
【図７】
2007239362.tif 000009